(57)【要約】【課題】  ロック部材を吐出操作性向上のために利用することが可能なロック機構付き吐出装置を提供する。【解決手段】  支持台４０にロック部材６０を前後方向へ回動自在に枢着させ、該ロック部材は操作レバー５０へ係合して、該操作レバーによるステム２０の押下げを阻止するロック位置と、該ロック位置から後方へ回動して操作レバーから係合離脱することで該操作レバーのステム押下げを許容するアンロック位置とをとることが可能に設けたロック機構付き吐出装置において、ロック部材６０はアンロック位置で後方へ突出して、操作レバー操作時における手に上方から接触可能に設けた。【選択図】  図１
2010274228.tif 000002
【特許請求の範囲】
【請求項１】
容器体口頸部２への装着筒１０の頂壁から基筒１３を立設し、該基筒内から吐出用のステム２０を上下動自在に起立させて、該ステムからノズル部材３０を前方突設すると共に、前記装着筒の頂壁に支持台４０を設け、該支持台に操作レバー５０を前後方向へ回動自在に枢着させると共に、該操作レバーを前記ステムへ押下げ可能に係合させ、さらに前記支持台４０にロック部材６０を前後方向へ回動自在に枢着させ、該ロック部材は前記操作レバーへ係合して、該操作レバーによるステムの押下げを阻止するロック位置と、該ロック位置から後方へ回動して操作レバーから係合離脱することで該操作レバーのステム押下げを許容するアンロック位置とをとることが可能に設けたロック機構付き吐出装置において、
前記ロック部材６０は前記アンロック位置で後方へ突出して、前記操作レバー操作時における手に上方から接触可能に設けたことを特徴とするロック機構付き吐出装置。
【請求項２】
前記支持台４０を前記基筒１３後部から後方へ突出する左右一対の支持板４１で形成すると共に、該支持板上端に係合切欠部４２を設け、
前記ロック部材６０は、それぞれの支持板４１に前後方向へ回動自在に軸支された一対のロック板６１と、該ロック板に形成された係合突部６４とを備え、
該ロック板６１は前記ロック位置で前記基筒１３上端へ載置係合可能に、かつ前記アンロック位置で前記係合突部６４が前記係合切欠部４２へ係合可能に設けたことを特徴とするロック機構付き吐出装置。
【請求項３】
前記係合切欠部は、上方へ開口の入口部７０ａと、後方へ長く形成された長孔からなる突当り部７０ｂとから形成され、かつ入口部７０ａと突当り部７０ｂとの境界部７０ｃは、前記ロック板６１の係合突部６４の径より小さい寸法で、かつ係合突部６４により強制拡開可能に形成され、
また前記ロック板６１を前記支持板４１へ軸支するための軸棒６２が挿入された軸孔６３を後方へ長い長孔で形成し、
前記アンロック位置で、前記軸棒６２は前記係合切欠部の入口部７０ａを介して前記突当り部７０ｂへ嵌合可能に設け、さらに前記ロック部材を後方へ引くことで前記軸棒６２と係合突部６４とをそれぞれが嵌合された長孔の後端へ移動させることが可能に設けたことを特徴とする請求項２記載のロック機構付き吐出装置。
【請求項４】
前記ロック部材６０は、ロック位置において、前記操作レバー５０を跨架する下向きコ字状の操作部６５を備え、該操作部を前記ロック板６１へ連結させていることを特徴とする請求項２記載のロック機構付き吐出装置。
【発明の詳細な説明】
【技術分野】
【０００１】
本発明は操作レバーをロックするためのロック機構付き吐出装置に関する。
【背景技術】
【０００２】
吐出用の操作レバーの不用意な押下げを防止すべく、ロック部材を設けた吐出装置が従来技術として知られている。
【先行技術文献】
【特許文献】
【０００３】
【特許文献１】特許第４０７９２６１号公報
【発明の概要】
【発明が解決しようとする課題】
【０００４】
しかしながら、従来技術は操作レバーの回動を許容するロック部材のアンロック位置で、ロック部材は装置本体の側面に位置して装置本体の後方へ突出していないため、ロック部材を吐出操作時における手に当てることができず、このため吐出装置が小型で吐出操作しにくい場合でもロック部材を利用して操作容易にすることができないという課題がある。
本発明は、上記課題を解決するためになされたもので、ロック部材を吐出操作性向上のために利用することが可能なロック機構付き吐出装置を提供することを目的とする。
【課題を解決するための手段】
【０００５】
上記課題を解決するために、本発明は、容器体口頸部２への装着筒１０の頂壁から基筒１３を立設し、該基筒内から吐出用のステム２０を上下動自在に起立させて、該ステムからノズル部材３０を前方突設すると共に、前記装着筒の頂壁に支持台４０を設け、該支持台に操作レバー５０を前後方向へ回動自在に枢着させると共に、該操作レバーを前記ステムへ押下げ可能に係合させ、さらに前記支持台４０にロック部材６０を前後方向へ回動自在に枢着させ、該ロック部材は前記操作レバーへ係合して、該操作レバーによるステムの押下げを阻止するロック位置と、該ロック位置から後方へ回動して操作レバーから係合離脱することで該操作レバーのステム押下げを許容するアンロック位置とをとることが可能に設けたロック機構付き吐出装置において、
前記ロック部材６０は前記アンロック位置で後方へ突出して、前記操作レバー操作時における手に上方から接触可能に設けたことを特徴とする。
【０００６】
また、本発明は、前記支持台４０を前記基筒１３後部から後方へ突出する左右一対の支持板４１で形成すると共に、該支持板上端に係合切欠部４２を設け、
前記ロック部材６０は、それぞれの支持板４１に前後方向へ回動自在に軸支された一対のロック板６１と、該ロック板に形成された係合突部６４とを備え、
該ロック板６１は前記ロック位置で前記基筒１３上端へ載置係合可能に、かつ前記アンロック位置で前記係合突部６４が前記係合切欠部４２へ係合可能に設けたことを特徴とする。
【０００７】
さらに、本発明は、前記係合切欠部は、上方へ開口の入口部７０ａと、後方へ長く形成された長孔からなる突当り部７０ｂとから形成され、かつ入口部７０ａと突当り部７０ｂとの境界部７０ｃは、前記ロック板６１の係合突部６４の径より小さい寸法で、かつ係合突部６４により強制拡開可能に形成され、
また前記ロック板６１を前記支持板４１へ軸支するための軸棒６２が挿入された軸孔６３を後方へ長い長孔で形成し、
前記アンロック位置で、前記軸棒６２は前記係合切欠部の入口部７０ａを介して前記突当り部７０ｂへ嵌合可能に設け、さらに前記ロック部材を後方へ引くことで前記軸棒６２と係合突部６４とをそれぞれが嵌合された長孔の後端へ移動させることが可能に設けたことを特徴とする。
【０００８】
さらに、本発明は、前記ロック部材６０は、ロック位置において、前記操作レバー５０を跨架する下向きコ字状の操作部６５を備え、該操作部を前記ロック板６１へ連結させていることを特徴とする。
【発明の効果】
【０００９】
本発明は、アンロック位置でロック部材が後方へ突出して、操作レバー操作時における手に上方から接触可能に設けたので、吐出操作時における操作性が向上する。
また、本発明は、係合切欠部は、ロック板の係合突部の径より小さい寸法で、かつ強制拡開可能な境界部と、後方へ長く形成された長孔からなる突当り部とを備え、ロック板を支持板へ軸支するための軸棒が挿入された軸孔を後方へ長い長孔で形成したので、ロック部材が容易にアンロック位置から外れることがなく、したがって、ロック部材の操作性向上のための利用に支障が生じることがない。
【図面の簡単な説明】
【００１０】
【図１】本発明に係る吐出装置のロック位置における側面図である。
【図２】図１の半断面正面図である。
【図３】図１の断面図である。
【図４】アンロック位置を示す図１相当図である。
【図５】作用説明図である。
【図６】他の実施形態を示す図１相当図である。
【図７】アンロック位置を示す図４相当図である。
【発明を実施するための形態】
【００１１】
以下、本発明の実施の形態について、図面を参照しながら詳細に説明する。
【００１２】
図１において、１は容器体で、肩部を介して口頸部２を起立する。
【００１３】
１０は装着筒で、周壁１１を容器体口頸部２外面へ螺合させると共に、周壁１１上面の内向きフランジ状頂壁１２内周から上部が縮径された基筒１３を起立させている。
【００１４】
２０は吐出用のステムで、容器体１内に設けた図示しないシリンダ内へ嵌挿されたピストンから基筒１３を介して上方付勢状態で起立する。
【００１５】
３０はノズル部材で、ステム２０上端へ後部を嵌合させて前方へ突設する。
【００１６】
４０は支持台で、基筒１３の後部から互いにほぼ平行な左右一対の支持板４１、４１を後方へ突設して、これら支持板下端を基筒１３頂壁へ一体に連結すると共に、両支持板後端間を後壁で閉塞し、さらに両支持板上端の前後方向中間部に係合切欠部４２を形成している。
【００１７】
係合切欠部４２は上方へ開口する入口部４２ａと突当り部４２ｂとから形成されていて、入口部と突当り部との境界部４２ｃにおける前後方向の寸法は、後述の係合突部６４の径よりもやや小さく形成されており、係合突部６４が係合切欠部４２に対し係合離脱する際に、係合突部がその境界部４２ｃを強制的に拡開可能に設けている。
【００１８】
５０は操作レバーで、左右方向から見て下向きの略Ｌ字状に、かつ断面形状が下向きコ字状に、それぞれ形成されており、Ｌ字の一部を形成する斜め前方下へ垂下する把持用部分５１の上部にノズル部材３０を挿通させるための開口部５２が形成され、またＬ字の他部を形成する水平部分後端を支持台４０の後部上端へ軸着させている。さらにＬ字の水平部分の前後方向中間部分内面に後述のロック部材へ係合可能なロック用突条５３を設けている。
【００１９】
また、Ｌ字の水平部分内側面に図示しない下向きＵ字状の突部を備えていて、該突部は、操作レバー５０の吐出操作時に、ステム２０に形成された図示しない突部へ係合することでステム２０を押下げ可能に設けている。
【００２０】
６０はロック部材で、左右一対のロック板６１を支持台４０の前部上端部へ回動自在に支持させている。一対のロック板６１は、ロック位置において、それぞれの下縁前部が基筒１３上端へ載置可能に、かつ上縁が上方へ凸の弯曲状に、それぞれ形成され、また下縁の前後中間部を下方へ延出して、この延出部下端内面に突設した軸棒６２、６２を支持板４１、４１の前部上端部に形成した軸孔６３、６３へ回動自在に嵌合させている。さらに一対のロック板６１の後部内面に、係合切欠部４２へ係合可能な係合突部６４を突設している。
【００２１】
ロック部材６０は、またロック位置において、操作レバー５０を跨架する下向きコ字状の操作部６５を備え、該操作部下部の細幅部を一対のロック板外面へ一体に連結させている。
【００２２】
図６および図７は他の実施形態を示すもので、第１の実施形態とは係合切欠部において相違する。ここでは係合切欠部を符号７０で示す。係合切欠部７０は上方へ開口する入口部７０ａと突当り部７０ｂとから形成されていて、突当り部７０ｂは前後へ長い長孔に形成されており、入口部と突当り部との境界部７０ｃにおける前後方向の寸法は、係合突部６４の径よりもやや小さく形成されており、係合突部６４が係合切欠部４２に対し係合離脱する際に、係合突部６４がその境界部７０ｃを強制的に拡開可能に設けている。なお、図６にも示すように突当り部７０ｂ下縁の前後方向中間部には係合突部６４が強制乗越え可能な突起７０ｄを設けるのが好ましい。さらにロック板６１を支持板４１へ軸支するための軸棒６２が挿入された軸孔６３を後方へ長い長孔で形成している。その他の構成は第１実施形態と同一であるから説明を省略する。
【００２３】
次に作用について述べる。
図１ないし図３はロック時の状態を示すもので、ロック板６１は基筒１３上端へ載置されていて、操作レバー５０のロック用突条５３下端がロック板６１の弯曲状の上縁へ上方から係合しており、したがって、操作レバー５０の把持用部分５１を後方へ引いても、操作レバーを回動させることはできず、このためステムを押下げることが不可能であり、吐出させることはできない。
【００２４】
吐出するには、ロック部材６０の操作部６５を後方へ回動させればよく、こうすることでロック板６１が後方へ回動して係合突部６４が係合切欠部４２へ係合する。この状態が操作レバー５０のアンロック位置で、この位置では操作レバー５０は図４に示すように支持台４０よりも後方へ突出しており、したがって、吐出操作する場合に、図５に示すように手を操作レバー５０に当てることができて吐出操作を容易にすることができる。
【００２５】
図６および図７の場合には、ロック部材６０を後方へ回動させて係合突部６４を係合切欠部７０の突当り部７０ｂへ係合させた後、さらに操作レバー５０を後方へ引くと、軸棒６２が軸孔６３後端へ移動すると共に、係合突部６４が長孔からなる突当り部７０ｂの後端へ移動するため、係合突部６４が突当り部７０ｂから外れにくくなる。
【産業上の利用可能性】
【００２６】
本発明は、操作レバーをロックするための吐出装置の分野に利用することができる。
【符号の説明】
【００２７】
１  容器体
２  口頸部
１０  装着筒
１３  基筒
３０  ノズル部材
４０  支持台
４１  支持板
４２  係合切欠部
４２ａ  入口部
４２ｂ  突当り部
４２ｃ  境界部
５０  操作レバー
５３  ロック用突条
６０  ロック部材
６１  ロック板
６２軸棒６２、６２
軸孔  ６３
７０  係合切欠部
７０ａ  入口部
７０ｂ  突当り部
【図１】
2010274228.tif 000003
【図２】
2010274228.tif 000004
【図３】
2010274228.tif 000005
【図４】
2010274228.tif 000006
【図５】
2010274228.tif 000007
【図６】
2010274228.tif 000008
【図７】
2010274228.tif 000009